(57)【要約】【課題】  メダル積みによる遊技の継続や中止に関する意思決定に関して遊技者の多様や要求を満足させることが可能であり、また、下皿のメダルをメダル投入口まで繰り返し運ぶ作業を軽減させることが可能な遊技機用メダルホルダを提供すること。【解決手段】  メダルを一列に積載して収納するメダル収納部が複数並列され、上記メダル収納部の底面部には、該メダル収納部に積載されたメダルを計数表示する計数表示部が設けられ、上記メダル収納部の夫々と同列に、遊技機における入賞役を示す分類用ラベルを挿抜可能なスリットが設けられていることを特徴とする遊技機用メダルホルダ。【選択図】    図１
2006296542.tif 000002
【特許請求の範囲】
【請求項１】
メダルを一列に積載して収納するメダル収納部が複数並列され、
前記メダル収納部の底面部には、該メダル収納部に積載されたメダルを計数表示する計数表示部が設けられ、
前記メダル収納部の夫々と同列に、遊技機における入賞役を示す分類用ラベルを挿抜可能なスリットが設けられていることを特徴とする遊技機用メダルホルダ。
【請求項２】
遊技機用メダルホルダを遊技機の所定箇所に固定する固定手段を備えたことを特徴とする請求項１に記載の遊技機用メダルホルダ。
【発明の詳細な説明】
【技術分野】
【０００１】
本発明は、例えば、パチスロ遊技装置やスロットマシン等の遊技機で遊技を行う際に用いられる遊技機用メダルホルダに関する。
【背景技術】
【０００２】
遊技者にとって、遊技を行っている遊技機が、当選し易い台であるか否か、或いは、当選し易い状態にあるのか否かは、最大の関心事である。当選し難いのであれば、別の遊技機に移るなり、遊技を終了すればよいし、これから当選する可能性があるなら、もう少し我慢して遊技を行うべきだからである。ところが、この遊技者の悩みは、厳密に言えば、あまり意味のあるものではない。何故なら、遊技機における当選確率は、各回で独立しているものであって、それまでの遊技の結果から影響を受けるものではないので、長期間にわたって遊技を行えば、当選確率は予め設定された数値に収束するからである。とはいうものの、或る遊技機における１人の遊技者の遊技開始から終了までという期間に着目した場合、当選確率にはかなりのばらつきがあり、予め設定された当選確率が低くても大勝ちすることがあれば、その逆のこともあるのである。言うなれば、その不確かさが遊技の醍醐味なのである。
【０００３】
従来、例えば、ビッグボーナス（ＢＢ）やレギュラーボーナス（ＲＢ）等のボーナスゲームに関する遊技の履歴を表示する遊技機が存在する（例えば、特許文献１、２参照）。特許文献１、２における履歴の表示は、何れも遊技者にとって遊技続行か中止かの判断材料となり、意思決定支援ツールとして有用である。しかし、例えば、何時から何時までの履歴を判断材料とするか、遊技結果のうち、どの遊技結果を判断材料とするか等を遊技者が自由に決定することができないという問題がある。
【０００４】
そのような課題を解決すべく、従来、例えば、遊技者が容易に視認可能であり且つ遊技中の姿勢を保ったままで遊技者の手が届く位置にメダルカウンタが配置されていて、そのメダルカウンタは、少なくとも遊技者に付与される利益が比較的大きい特別の賞（ビッグボーナスやレギュラーボーナス等）の種類に対応した数のメダル収納部を備え、各メダル収納部には、当該各賞１回に対して１枚を対応させてメダルを保持可能である遊技機が存在する（例えば、特許文献３参照）。特許文献３に記載の遊技機であれば、メダル積みという簡便な手法によって、遊技の継続や中止に関する意思決定を行い易くすることができる。
【０００５】
【特許文献１】特開平４−１６４４７０号公報
【特許文献２】特開平６−３４３７３８号公報
【特許文献３】特開平１１−１７８９８６号公報
【発明の開示】
【発明が解決しようとする課題】
【０００６】
しかしながら、特許文献３に記載の遊技機のように、各遊技機に１つずつメダルカウンタを設置するのは、経済的ではなく製造コストが増大してしまうという問題がある。また、各メダル収納部に対応する入賞役が、比較的利益の大きい特別の賞（ビッグボーナスやレギュラーボーナス等）であって予め固定されているため、例えば、或るときまでビッグボーナスの当選回数を数えていたがチェリーの小役の当選回数を数えたくなった場合や、全ての小役の当選回数を数えたくなった場合等に、遊技者の多様な要求を満足させることができないという問題がある。すなわち、各メダル収納部に対応する入賞役が予め固定されているから、遊技者が自分自身の信じる判断手法で遊技の継続や中止に関する意思決定を行うことができないという問題があるのである。さらに、下皿のメダルをメダル投入口まで繰り返し運ぶ作業は煩わしく、長時間にわたって遊技を行う上での障害となるが、特許文献３に記載の遊技機が備えるメダルカウンタは、同列のメダル収納部が仕切りによって多段に分離されているため、メダルホルダとして使用し難く、このような問題を解決することは困難である。
【０００７】
本発明は、上述した課題に鑑みてなされたものであり、その目的は、メダル積みによる遊技の継続や中止に関する意思決定に関して遊技者の多様や要求を満足させることが可能であり、また、下皿のメダルをメダル投入口まで繰り返し運ぶ作業を軽減させることが可能な遊技機用メダルホルダを提供することにある。
【課題を解決するための手段】
【０００８】
上述した課題を解決するために、本発明は、以下のようなものを提供する。
（１）  メダルを一列に積載して収納するメダル収納部が複数並列され、
上記メダル収納部の底面部には、該メダル収納部に積載されたメダルを計数表示する計数表示部が設けられ、
上記メダル収納部の夫々と同列に、遊技機における入賞役を示す分類用ラベルを挿抜可能なスリットが設けられていることを特徴とする遊技機用メダルホルダ。
【０００９】
（１）の発明によれば、メダルを一列に積載して収納するメダル収納部が複数並列され、メダル収納部の夫々と同列に、遊技機における入賞役を示す分類用ラベルを挿抜可能なスリットが設けられているため、遊技者は、自己の要求に応じて各スリットに分類用ラベルを挿入することにより、各メダル収納部を入賞役ごとに振り分けることができる。また、分類用ラベルは挿抜可能であるから、要求の変化に応じて分類用ラベルを変更することができる。従って、メダル積みによる遊技の継続や中止に関する意思決定に関して自己の要求を充分に反映させることが可能になる。また、遊技機用メダルホルダは、特許文献３のように遊技機と一体的に設けられたものではないから、機種入替時にまとめて廃棄されるようなことがなく、経済的であり遊技機の製造コストが増大してしまうことがない。さらに、（１）の遊技機用メダルホルダを遊技機の所定箇所（例えば、メダル投入口の近傍等）に設置することにより、下皿のメダルをメダル投入口まで繰り返し運ぶ手間を減らすことができ、当該作業を軽減させることができる。
【００１０】
さらに、本発明は、以下のようなものを提供する。
（２）  上記（１）の遊技機用メダルホルダであって、
遊技機用メダルホルダを遊技機の所定箇所に固定する固定手段を備えたことを特徴とする。
【００１１】
（２）の発明によれば、固定手段を備えていて、遊技機用メダルホルダを所定箇所に固定することができるため、衝撃でメダルが落下したり飛散したりすることを防止することができる。
【発明の効果】
【００１２】
本発明によれば、メダル積みによる遊技の継続や中止に関する意思決定に関して遊技者の多様や要求を満足させることが可能であり、また、下皿のメダルをメダル投入口まで繰り返し運ぶ作業を軽減させることが可能となる。
【発明を実施するための最良の形態】
【００１３】
図１は、本発明の一実施形態に係る遊技機用メダルホルダを模式的に示す斜視図である。
遊技機用メダルホルダ１は、並列された４つのメダル収納部２を備えている。メダル収納部２は、メダル９の下半分と合致する円筒二つ割り形状（断面視半円形）を有するものであり、手前側が下に位置するように傾斜していて、メダル９を一列に積載して収納することができる。本発明において、メダル収納部の形状は、メダルを積載して収納可能な形状であれば、特に限定されるものではない。
【００１４】
１つのメダル収納部２には、後述するパチスロ遊技装置１０が備えるメダルホルダ３３（図２参照）に保持可能な枚数（例えば１９枚）のメダル９を収納することが可能である。また、メダル収納部２の底面部には、メダル収納部２に積載されたメダル９を計数表示する計数表示部４が設けられている。計数表示部４は、メダル９の厚さと同じ間隔で刻まれた目盛りであり、計数し易いように、５枚ごとに数字が付してある。計数表示部４は、メダル収納部２の底面部に設けられ、メダル収納部２に積載されたメダル９を計数可能なものであれば、特に限定されるものではない。
【００１５】
遊技機用メダルホルダ１は、各メダル収納部２と同列に、分類用ラベル５を挿抜可能なスリット３を備えている。分類用ラベル５は、メダル収納部２の用途を定めるためのものであり、メダル９と同形状を有し、その表面には夫々、例えば、「ＢＩＧ」（ビッグボーナス）、「ＲＥＧ」（レギュラーボーナス）、「チェリー」（チェリーの小役）等、パチスロ遊技装置１０における入賞役を示す文字等が印刷されている。本発明において、分類用ラベルの形状は、特に限定されるものではなく、スリットの形状も、上記分類用ラベルを挿抜可能な形状であれば、特に限定されるものではない。また、本実施形態では、各メダル収納部２の上側に、スリット３が設けられているが、この例に限定されず、例えば、メダル収納部２の下側に、スリット３が設けられていてもよい。
【００１６】
遊技機用メダルホルダ１は、底面の四隅の夫々に設けられた固定手段としての吸盤６を備えている。本発明において、固定手段としては、特に限定されるものではなく、吸盤の他に、例えば、粘着シート、遊技機の所定箇所に係合可能なフック等、従来公知の手段を採用することが可能である。
【００１７】
図２は、図１に示した遊技機用メダルホルダが固定されたパチスロ遊技装置を示す斜視図である。
パチスロ遊技装置１０の全体を形成している筐体１２の正面には、液晶表示装置１５が設置されている。また、液晶表示装置１５の背面側には、３個の回転リール１３Ｌ、１３Ｃ、１３Ｒが設けられている。３個の回転リール１３Ｌ、１３Ｃ、１３Ｒは、それぞれその外周面に複数の図柄等の識別情報が表示されており、回転可能に横一列に設けられている。各回転リール１３Ｌ、１３Ｃ、１３Ｒの図柄は、液晶表示装置１５を介して視認可能である。液晶表示装置１５の下方には、水平面を有する台座部２０が形成されていて、台座部２０の右側には、筐体１２内へメダルを投入するためのメダル投入口３２と、メダル投入口３２へ投入するためのメダルを所定枚数（例えば１９枚）保持可能なメダルホルダ３３とが設けられている。また、台座部２０の左側には、１−ＢＥＴスイッチ２１及び最大ＢＥＴスイッチ２３が設けられている。
【００１８】
台座部２０の前面部の左寄りには、遊技者が遊技で獲得したメダルのクレジット／払い出しを押し操作により切り替える貯留メダル精算スイッチ２４が設けられている。貯留メダル精算スイッチ２４の右側には、遊技者の操作により回転リール１３Ｌ、１３Ｃ、１３Ｒを回転させるためのスタートレバー１６が所定の角度範囲で回動自在に取り付けられている。台座部２０の前面部中央には、３個の回転リール１３Ｌ、１３Ｒ、１３Ｃの回転をそれぞれ停止させるための３個の停止ボタン１７Ｌ、１７Ｃ、１７Ｒが設けられている。
筐体１２の中央下側には、メダルが払い出されるメダル払出口２５が設けられ、さらにメダル払出口２５から払い出されたメダル９を貯留する下皿２６が設けられている。
【００１９】
遊技機用メダルホルダ１は、台座部２０の中央、１−ＢＥＴスイッチ２１及び最大ＢＥＴスイッチ２３と、メダル投入口３２及びメダルホルダ３３との間に、遊技機用メダルホルダ１が備える吸盤６によって固定されている。
【００２０】
遊技者は、遊技機用メダルホルダ１を用いて、パチスロ遊技装置１０で、以下のようにして遊技を行うことができる。まず、遊技機用メダルホルダ１のスリット３に、分類用ラベル５を挿入する。このとき、遊技者は、各メダル収納部２にどの入賞役を対応させるかを決めて、例えば、図１に示すように、「ＢＩＧ」、「ＲＥＧ」、「チェリー」の分類用ラベル５を夫々スリット３に挿入する。
【００２１】
その後、遊技を行うのであるが、下皿２６内のメダル９を遊技機用メダルホルダ１のメダル収納部２に収納しておき、パチスロ遊技装置１０のメダルホルダ３３内のメダル９が全て無くなったら、メダル収納部２からメダルホルダ３３へメダル９を移せばよいので、下皿２６からメダル投入口３２へ繰り返しメダル９を運ぶ作業を低減することができる。また、分類用ラベル５に対応した入賞役が成立したときには、その分類用ラベル５と同列のメダル収納部２にメダルを１枚収納することにより、その入賞役の回数を容易に数えることができる。従って、メダル積みによる遊技の継続や中止に関する意思決定に関して自己の要求を充分に反映させることが可能となる。また、遊技機用メダルホルダ１は、パチスロ遊技装置１０と一体的に設けられたものではないから、機種入替時にまとめて廃棄されることがなく、経済的でありパチスロ遊技装置１０の製造コストが増大してしまうことがない。さらに、図２に示すように、メダル投入口３２の近傍に吸盤６を用いて遊技機用メダルホルダ１を固定することにより、下皿２６内のメダルをメダル投入口２２まで繰り返し運ぶ手間を減らすことができ、当該作業を軽減させることができる。
【００２２】
本発明においては、本実施形態のように、１つのメダル収納部２に収納可能なメダルの枚数が、メダル投入口３２に投入するためのメダルを保持するメダルホルダ３３が保持可能な枚数であることが望ましい。１つのメダル収納部２に収納されたメダルを、メダルホルダ３３に順次移していけばよいため、メダル投入に係る手間を軽減することができるからである。勿論、本発明において、１つのメダル収納部に収納可能なメダルの枚数は、この例に限定されるものではない。
【００２３】
本実施形態では、メダル収納部２の数が４つである場合について説明したが、本発明において、メダル収納部の数はこの例に限定されるものではない。本発明においては、遊技機用メダルホルダの大きさが、台座部２０上に設置可能な大きさ（メダル投入口３２の近傍に設置可能な大きさ）であることが望ましい。下皿２６内のメダルをメダル投入口２２まで繰り返し運ぶ手間を減らすことができ、当該作業を軽減させることができるからである。
【００２４】
本発明の遊技機用メダルホルダと、該遊技機用メダルホルダに用いられる分類用ラベルとは、各遊技者が所有することとしてもよく、遊技店が貸与することとしてもよい。
【００２５】
以上、本発明の実施形態を説明したが、具体例を例示したに過ぎず、特に本発明を限定するものではなく、具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００２６】
【図１】本発明の一実施形態に係る遊技機用メダルホルダを模式的に示す斜視図である。
【図２】図１に示した遊技機用メダルホルダが固定されたパチスロ遊技装置を示す斜視図である。
【符号の説明】
【００２７】
１  遊技機用メダルホルダ
２  メダル収納部
３  スリット
４  計数表示部
５  分類用ラベル
６  吸盤
９  メダル
１０  パチスロ遊技装置
２０  台座部
２１  １−ＢＥＴスイッチ
２３  最大ＢＥＴスイッチ
３２  メダル投入口
３３  メダルホルダ
【図１】
2006296542.tif 000003
【図２】
2006296542.tif 000004